(57)【特許請求の範囲】
【請求項１】
光学情報読取装置において読取対象の像を光学的センサに結像させるレンズユニットの焦点を合わせるべく、該レンズユニットを構成する複数のレンズの相対位置を調整するためのレンズ調整装置であって、
前記レンズユニットの設置部と、
該設置部に前記レンズユニットが設置された際に、前記光学情報読取装置における前記レンズユニットに対する前記光学的センサの配置構成と同様の構成で、該設置されたレンズユニットに対して配置される調整用光学的センサと、
前記設置部に前記レンズユニットが設置された際に、該レンズユニットから前記調整用光学的センサとは反対側の所定位置に配置された調整用読取対象と、
該調整用読取対象を走査した前記調整用光学的センサから出力される信号の内、該調整用光学的センサが前記調整用読取対象の所定位置を走査した際に得られる信号の最大レベルを検出する信号レベル検出手段と、
前記信号レベル検出手段が検出した前記信号の最大レベルの最大値を学習するための学習モードと、該最大値に基づいて前記複数のレンズの最適位置を報知する調整モードとを切り換える動作モード切換手段と、
該動作モード切換手段により動作モードが前記学習モードに設定された状態で、使用者が前記複数のレンズの相対位置を段階的に変化させた際に、前記信号レベル検出手段が検出する各段階における前記信号の最大レベルの内、最大値を基準値として記憶する記憶手段と、
前記動作モード切換手段により動作モードが前記調整モードに設定された状態で、使用者が前記複数のレンズの相対位置を段階的に変化させた際に、前記信号レベル検出手段が検出する各段階における前記信号の最大レベルと、前記記憶手段に記憶された前記基準値との相対比を算出する相対比算出手段と、
前記相対比算出手段により算出された前記相対比の大きさを、前記信号レベル検出手段により検出された結果として報知する報知手段と、
を備えたことを特徴とする光学情報読取装置用レンズ調整装置。
【請求項２】
前記信号レベル検出手段は、前記調整用光学的センサから出力される信号の内、該調整用光学的センサが前記調整用読取対象の所定位置を走査した際に得られる信号が表す波形の最大振幅を、前記信号の最大レベルとして検出することを特徴とする請求項１に記載の光学情報読取装置用レンズ調整装置。
【請求項３】
前記信号レベル検出手段は、前記調整用光学的センサから出力される信号の内、該調整用光学的センサが前記調整用読取対象の所定位置を走査した際に得られる信号が表す波形の最大振幅と最小振幅とから得られるコントラスト比の最大値を、前記信号の最大レベルとして検出することを特徴とする請求項１に記載の光学情報読取装置用レンズ調整装置。
【請求項４】
前記報知手段は、前記信号レベル検出手段により検出された結果を、所定の範囲をもって段階的に報知することを特徴とする請求項１〜３のいずれかに記載の光学情報読取装置用レンズ調整装置。
【請求項５】
前記報知手段は、一又は複数の発光素子を用いて、該発光素子の発光状態を段階的に変化させることにより、前記信号レベル検出手段により検出された結果を段階的に報知することを特徴とする請求項４に記載の光学情報読取装置用レンズ調整装置。
【発明の詳細な説明】
【０００１】
【発明の属する技術分野】
本発明は、光学情報読取装置において読取対象の像を光学的センサに結像させるレンズユニットの焦点を合わせるためのレンズ調整装置に関する。
【０００２】
【従来の技術】
従来、バーコード、２次元コード等の情報コードを光学的に読み取る装置として、読取対象に光を照射し、この読取対象からの反射光を複数のレンズからなるレンズユニットによって所定の読取位置に結像させ、その読取位置に配置されたＣＣＤセンサ等の光学的センサによって情報コードを読み取る装置（光学情報読取装置）が知られている。
【０００３】
この種の装置には、手持ち型、設置型、及び機器組込型等の形態があり、例えば手持ち型の装置で情報コードを読み取る際には、使用者自らが読取装置の位置（つまり、読取対象とレンズユニットとの距離）をある程度調整してレンズユニットの焦点を合わせ、精度の良い読取処理を行っていた。
【０００４】
一方、設置型や機器組込型の装置では、読取対象に対するレンズユニットの設置位置が固定されることから、上記手持ち型の装置のように、使用者が読取の際にその焦点を適宜調整することは困難である。従って、特にこれら設置型や機器組込型の装置では、レンズユニットの製造工程においてその焦点を正確に調整することが必要とされる。このため、従来は図４に示すようなレンズ調整装置１０１を使用して、レンズユニット１５０のレンズ調整が行われていた。
【０００５】
すなわち、図４に示すレンズ調整装置１０１においては、レンズユニット１５０の設置部１１１から所定位置に調整用のパターンコードラベル１２１（調整用読取対象：図３では二次元コード）が配置され、この設置部１１１からパターンコードラベル１２１とは反対側の所定位置には調整用ＣＣＤセンサ１１３が配置され、実際の光学情報読取装置のレンズユニット周辺の構成が模擬されている。
【０００６】
そして、レンズ調整工程においては、照明用ＬＥＤ１１２から予め定めた強度の読取用の光をパターンコードラベル１２１に照射し、その反射光をレンズユニット１５０を介して調整用ＣＣＤセンサ１１３に結像させる。
使用者は、レンズユニット１５０の焦点を合わせるために、レンズホルダを回してレンズユニット１５０を構成する複数のレンズ１５４、１５５の相対位置を調整する。このとき、これらレンズの相対位置の変化によりＣＣＤセンサ１１３への結像状態が変化し、この調整用ＣＣＤセンサ１１３の出力レベルがこれに応じて変化する。一般的には、レンズ位置が最適位置に調整されたとき（焦点が合ったとき）に調整用ＣＣＤセンサ１１３の出力レベルが最大になることが分かっている。このため、同センサ１１３の出力信号を増幅回路１１８を介してオシロスコープ１１９に出力し、使用者がこの出力信号が表す波形の振幅が最大となる位置にレンズ位置を調整していた。
【０００７】
ここで、出力信号の観察のためにオシロスコープ１１９を用いるのは、ＣＣＤセンサ１１３の出力信号は、読取対象の映像信号、水平同期信号、水平ブランキング信号、垂直同期信号、垂直ブランキング信号等が合成された複合信号であり、これらは、時間とともに出力値が変動する通常の電圧計では測定できないためである。
【０００８】
このオシロスコープ１１９では、例えばパターンコードラベル１２１の中央位置の映像信号をとらえるように設定されている。すなわち、同期信号発生回路１１５の出力信号に基づいてＣＣＤセンサ１１３から出力された例えば水平方向の５２５本の走査線信号の内、その中央にあたる２６３本目の走査線信号がとらえられるように、トリガ信号発生回路１１６からオシロスコープ１１９にトリガ信号が出力される。オシロスコープ１１９では、このトリガ信号を受けて上記所定の走査線信号をとらえ表示していた。
【０００９】
【発明が解決しようとする課題】
しかしながら、上述した従来の方法では、レンズ位置の調整に際してオシロスコープ１１９の波形を逐次観測しながらＣＣＤセンサ１１３の出力レベルの確認を行う必要がある。このため、作業環境によってはこの波形にノイズが重畳され、使用者が出力信号のレベルを正確にとらえることができず、レンズ調整にバラツキが生じる等の問題が生じた。
【００１０】
本発明は、このような問題を解決するためになされたものであり、最適な読取のための正確なレンズ調整を、容易かつ迅速に行うことのできる光学情報読取装置用レンズ調整装置を提供することを目的とする。
【００１１】
【課題を解決するための手段及び発明の効果】
上述した目的を達成するためになされた請求項１に記載の光学情報読取装置用レンズ調整装置においては、調整対象となるレンズユニットの設置部と調整用光学的センサとが、光学情報読取装置におけるレンズユニットと光学的センサとの位置関係と同様の位置関係で配置され、実際の光学情報読取装置の光学系の構成が部分的に模擬されている。そして、本装置では、上述のように、レンズユニットの焦点が最適に調整されたときに調整用光学的センサの出力が最大となることに着目し、使用者のレンズ調整動作に対応して調整用光学的センサの出力を使用者にわかりやすく報知することによりレンズ調整作業を容易にしている。
【００１２】
具体的には、信号レベル検出手段が、調整用光学的センサが調整用読取対象の所定位置を走査した際に得られる信号の最大レベルを検出し、報知手段が、この信号レベル検出手段により検出された結果を報知するように構成されている。ここで、調整用光学的センサが検出する走査線信号を、「調整用読取対象の所定位置を走査した際の信号」としたのは、読取用光学的センサの出力状態を比較するためには、同一の画像を走査した際の出力信号で比較する必要があるからである。
【００１３】
また、ここでの最大レベルは、レンズユニットを構成する複数のレンズの相対位置によって変化するものであり、この最大レベルがさらに最大となるようなレンズの相対位置が最適位置を示すことになる。
【００１４】
従って、使用者は、報知手段により報知された情報に基づいて、例えばレンズホルダを回す等して複数のレンズの各々の相対位置を最適位置に近づけることができ、報知手段が信号レベルが最大になったことを報知した時点で、複数のレンズの相対位置が最適位置に調整されたと判断することができる。このため、使用者は、従来のようにオシロスコープの波形を観察して自身で信号の最大レベルを見きわめる等の煩雑な工程を経ることなく、容易かつ迅速にレンズ調整を行うことができる。
【００１５】
また、このように、報知手段が信号レベル検出手段により検出された信号の最大レベルを単に報知する構成では、使用者がレンズ調整工程において最終的に最適位置を把握することができても、その最適位置に到るまでの過程において、当該最適位置にどの程度近づいているのかを把握することはできない。このため、最適位置を把握するためには、まずレンズ調整方向を一方向に設定してレンズ位置を調整し、一旦最適位置を通過して信号レベルが下がったところでレンズの調整方向を反転し、最適位置に調整しなければならない。特にレンズ調整を精密に行う場合には、このような反転を何度も繰り返すことが必要となることが想定される。
【００１６】
また、この場合、使用者は報知手段から報知された情報（例えば信号の最大レベルの値自体）を逐次記憶しながら作業を進める必要があるが、このような記憶をしなくても、レンズ調整の状態を把握できればさらに好ましい。そこで、請求項１に記載のレンズ調整装置においては、さらに、信号レベル検出手段が検出した前記信号の最大レベルの最大値を学習するための学習モードと、該最大値に基づいて前記複数のレンズの最適位置を報知する調整モードとを切り換える動作モード切換手段を備えている。
【００１７】
そして、この装置においてこの動作モード切換手段により動作モードが学習モードに設定されているときには、使用者が複数のレンズの相対位置を段階的に変化させた際に、信号レベル検出手段が検出する各段階における上記信号の最大レベルの内、その最大値が記憶手段に記憶される。そして、動作モード切換手段により動作モードが調整モードに設定されているときには、使用者が複数のレンズの相対位置を段階的に変化させた際に、信号レベル検出手段が検出する各段階における上記信号の最大レベルと、上記学習モードにて記憶手段に記憶された最大値との相対比が相対比検出手段により算出される。そして、報知手段がこの相対比の大きさを、信号レベル検出手段により検出された結果として報知される。
【００１８】
従って、使用者は、一旦学習モードを行えば、続く調整モードにおいて、上記報知手段が報知する相対比が１（１００％）に近づく方向にレンズ位置を調整すればよい。このため、上記のように報知手段が報知する情報（信号の最大レベルの値自体）を逐次記憶しながら作業を行う必要はなく、この相対比が１（１００％）に近づいているか否かを判断して調整を行えばよいため、作業が極めて容易になる。
【００１９】
また、このように相対比を報知することにより、使用者は、レンズ調整の方向が最適位置に近づいているのか、又は遠ざかっているのかを容易に認識することができる。また、使用者は、レンズ調整の方向が最適位置に近づいていることを認識すると、その時点で意識的に操作をゆっくり行うことになり、レンズの調整方向を何度も反転することも少なくなるという付随的効果も得られる。
【００２０】
また、上記信号レベル検出手段による検出については、請求項２に記載のように、調整用光学的センサから出力される信号の内、この調整用光学的センサが調整用読取対象の所定位置を走査した際に得られる信号が表す波形の最大振幅を、上記信号の最大レベルとして検出することが考えられる。ただし、この波形の最大振幅は絶対値で表されるものであり、読取対象の反射光の強さにより大きく変動することがあり、基準値として設定するには不都合な場合も考えられる。
【００２１】
そこで、請求項３に記載のレンズ調整装置では、調整用光学的センサから出力される信号の内、調整用光学的センサが調整用読取対象の所定位置を走査した際に得られる信号が表す波形の最大振幅と最小振幅とから得られるコントラスト比の最大値を、上記信号の最大レベルとして検出するようにしている。
【００２２】
この波形の最大振幅及び最小振幅は絶対値で表されるものであるが、これらから導かれるコントラスト比は相対値であり、読取対象の反射光の強さ等による変動が小さいため、基準値として設定するにはより好ましいと考えられる。なお、このコントラスト比の詳細については、後述する［発明の実施の形態］において詳述する。
【００２３】
また、上記報知手段の報知態様としては、請求項４に記載のように、上記信号レベル検出手段により検出された結果を、所定の範囲をもって段階的に報知するようにしてもよい。このように段階的に報知することにより、使用者は、レンズ調整の方向が最適位置に近づいているのか又は遠ざかっているのかを、報知態様の変化によって容易に認識することができる。また、使用者は、報知手段がレンズ調整状態が最適位置から離れていることを示している場合には、レンズ調整の操作を大まかに（迅速に）行い、報知手段がレンズ調整状態が最適位置に近いことを示している場合には、レンズ調整の操作を精密に（ゆっくり）行うことができ、全体として正確で迅速なレンズ調整を行うことができる。
【００２４】
また、この報知手段としては、請求項５に記載のように、一又は複数の発光素子を用いて、この発光素子の発光状態を段階的に変化させることにより、信号レベル検出手段により検出された結果を段階的に報知するものを採用することができる。ここで、「発光素子」としては、発光ダイオードやランプ等種々のものが考えられる。また、一つの発光素子を用いる場合には、例えばこの発光素子の点滅の周期を変化させることにより、信号のレベルを段階的に報知することができる。また、複数の発光素子を用いる場合には、その複数の発光素子のいずれかを発光させることにより、信号のレベルを段階的に報知することができる。
【００２５】
或いは、このように視覚的に報知する態様以外にも、ブザー等による音の音質の変化により信号のレベルを段階的に報知したり、若しくは、何らかの表示物を動作させる（振動させる等）ことにより報知することも考えられる。
【００２６】
【発明の実施の形態】
以下、本発明の好適な実施例を図面に基づいて説明する。
図１は、本実施例に係る光学情報読取装置用レンズ調整装置（以下、単に「レンズ調整装置」という）の概略構成を示すブロック図である。なお、本実施例は、本発明に係るレンズ調整装置を設置型２次元コードスキャナのレンズユニットの調整に適用したものである。
【００２７】
レンズ調整装置１は、２次元コードスキャナの構成を部分的に模擬した構成を有し、レンズユニット設置部１１、照明用発光ダイオード（照明用ＬＥＤ）１２、調整用ＣＣＤセンサ１３、増幅回路１４、信号処理回路１５、同期信号発生回路１６、制御回路１７、報知用発光ダイオード（報知用ＬＥＤ）１８、モード切換スイッチ１９、及び電源回路２０等を備えている。
【００２８】
レンズユニット設置部１１には、レンズ調整の対象となるレンズユニット５０が設置される。
照明用ＬＥＤ１２は、読取対象の２次元コードに対して読取用の光を照射するものである。
【００２９】
調整用ＣＣＤセンサ１３は、２次元的に配列された複数の受光素子であるＣＣＤを有しており、白黒で表示された試験用のパターンコードラベル（調整用読取対象）２１の反射光を受光することによりパターンコードラベル２１を撮像して、その２次元画像を水平方向の走査線信号として出力する。
【００３０】
増幅回路１４は、制御回路１７から入力されたゲインコントロール電圧に対応する増幅率で、調整用ＣＣＤセンサ１３から出力された走査線信号を増幅する。
信号処理回路１５は、増幅回路１４にて増幅された走査線信号をＡ／Ｄ変換し、この変換後の信号を、後述するコントラスト比の算出のために制御回路１７に出力する。
【００３１】
同期信号発生回路１６は、調整用ＣＣＤセンサ１３による撮像の同期をとるために同期パルスを出力するものであり、上述した調整用ＣＣＤセンサ１３は、この同期パルスに基づいて所定の受光期間にパターンコードラベル２１からの反射光を受光し、この受光期間に続く放出期間に上述した走査線信号を出力するという動作を繰り返す。
【００３２】
制御回路１７は、ＣＰＵ、ＲＯＭ、ＲＡＭ、Ｉ／Ｏ等を備えたマイクロコンピュータとして構成され、ＲＯＭに記憶されているプログラムに従って信号処理、或いは後述するコントラスト比の演算処理等を実行し、レンズ調整装置１全体を制御している。
【００３３】
報知用ＬＥＤ１８は、後述のように三種類のＬＥＤ（ＬＥＤａ、ＬＥＤｂ、ＬＥＤｃ）から構成され、レンズ調整工程におけるレンズ位置の最適位置からのずれの程度を、使用者に視覚的に報知するものである。つまり、この最適位置からのずれの程度によって上記三種類のＬＥＤのいずれかが点灯するように構成されている。
【００３４】
次に、本実施例が適用されるレンズユニット５０の概略構成について、図２に基づいて説明する。図２（ａ）はレンズユニット５０の部分断面図であり、図２（ｂ）は図２（ａ）のＡ方向矢視図である。レンズユニット５０は図示しない２次元コードスキャナに組み込まれるものであり、図２に示すように、略円筒状に形成された鏡筒５１の内部に、結像レンズ５４，５５及び絞り５６を収納して構成されている。尚、絞り５６は、入射した反射光を結像に利用される光線束の大きさに制限するためのものであり、結像レンズ５４及び５５は、当該反射光を２次元コードスキャナのＣＣＤセンサに結像させるためのものである。
【００３５】
鏡筒５１は、内側に段差部が形成された外筒５２と外側に段差部が形成された内筒５３とが、各々の小径部に設けられたネジ部５２ａ、５３ａの螺合によって互いに進退可能に取り付けられる構成を有する。そして、外筒５２の内部には結像レンズ５４及び絞り５６が、内筒５３の内部には結像レンズ５５がそれぞれ固定されており、内筒５３を回すことにより結像レンズ５４と５５との間隔（相対位置）が調整可能に構成されている。
【００３６】
上記レンズユニット設置部１１にはこの外筒５２が固定されており、本実施例に係るレンズ調整においては、使用者が内筒５３の周端縁に形成された係合溝５３ｂ，５３ｂに所定の調整工具を係合させて、内筒５３を回すことにより当該内筒５３を移動させ、結像レンズ５４と５５との間隔（相対位置）を調整できるようになっている。
【００３７】
次に、本実施例のレンズ調整方法について図３に示すフローチャートに基づいて説明する。
本実施例のレンズ調整工程においては、まず、二次元コードスキャナ用のレンズユニット５０が、その内筒５３を外筒５２に対して十分奥にまでねじ込んだ状態で、レンズユニット設置部１１に設置される。このとき、結像レンズ５４及び５５は互いに最も接近した状態となっている。また、調整用のパターンコードラベル２１がこのレンズユニット５０から所定の位置に配置される。
【００３８】
使用者が図示しない電源スイッチのオンにより電源回路２０を駆動させると、レンズ調整装置１は動作可能な状態となる。そして、使用者は、まずレンズ調整の前段階として、結像レンズ５４と結像レンズ５５との相対位置と、調整用ＣＣＤセンサ１３からの出力との関係を制御回路１７に学習させる学習モードを実行するために、モード切換スイッチ１９を学習モード側にセットする。
【００３９】
そして、図示しない入力装置からの入力により制御プログラムの実行が開始されると、まずモード切換スイッチ１９が学習モードに設定されているか否かが判断される（Ｓ１１０）。そして、このときモード切換スイッチ１９が学習モードに設定されていると判断されると（Ｓ１１０：ＹＥＳ）、学習モードプログラムの実行が開始される（Ｓ１２０）。
【００４０】
この学習モードは、使用者が内筒５３を回して結像レンズ５５を結像レンズ５４から離れる方向に移動させる（結像レンズ５４と結像レンズ５５との相対位置を変化させる）という動作とともに実行される。そして、照明ＬＥＤ１２により予め定めた強度の光がパターンコードラベル２１に照射されると、パターンコードラベル２１からの反射光がレンズユニット５０を介して調整用ＣＣＤセンサ１３に結像される。この調整用ＣＣＤセンサ１３は、結像されたパターンコードラベル２１の像を水平方向の複数の走査線信号として出力する。本実施例では、レンズ位置の調整を、調整用ＣＣＤセンサ１３が出力する走査線信号のレベル（振幅）を比較することにより行うため、パターンコードラベル２１の特定位置の像を検出してこれを行う必要がある。このため、調整用ＣＣＤセンサ１３によるパターンコードラベル２１を表す水平方向の複数の走査線信号の内、その中央にあたる走査線信号がとらえられるように、制御回路１７により同期信号発生回路１６の信号出力のタイミングが制御されている。
【００４１】
そして、調整用ＣＣＤセンサ１３から出力された信号は、増幅回路１４により所定の増幅率で増幅された後、信号処理回路１５にてＡ／Ｄ変換され、変換後のデジタル信号が制御回路１７に出力され、ＲＡＭにサンプリングされる（Ｓ１３０）。
【００４２】
そして、このサンプリングされた波形データを基に、制御回路１７に設けられたコントラスト比演算部にて、この波形データの最大振幅ＣH（白領域の反射率を表す）と最小振幅ＣL（黒領域の反射率を表す）とを用いて以下の式１で表されるコントラスト比（ＰＣＳ値：Ｐrint Contrast Signal）が算出される（Ｓ１４０）。
【００４３】
【数１】
0004239338.tif 000002
【００４４】
ここで、ＰＣＳ値とは相対反射率ともいい、この場合、２次元コードが示す白領域と黒領域の反射の比率をいう。２次元コードスキャナは、光学情報をこの白黒のコントラストで読み取っているため、このＰＣＳ値が高いほど、すなわち、白領域の反射率が高いほど、また黒領域の反射率が低いほど読み取りやすいといえる。従って、レンズユニット５０のレンズ調整が最適位置に近づくほど（焦点が合うほど）ＰＣＳ値は高くなる。
【００４５】
そして、制御回路１７では、使用者が内筒５３を回して結像レンズ５５を結像レンズ５４から離れる方向に移動させる過程において、所定の時間間隔で上記波形データが取得され、このＰＣＳ値の算出が行われる。
このような処理が、結像レンズ５５が結像レンズ５４から最も離れた位置にくるまで繰り返され、その各々の位置でのＰＣＳ値の最大値（各々の位置での波形の最大振幅に相当する）が、ＲＡＭ内に格納される。そして、さらにこれら算出されたＰＣＳ値の最大値の中で最大のものを基準値としてＲＡＭに記憶して学習モードを終了する（Ｓ１５０、Ｓ１６０）。
【００４６】
すなわち、当該学習モードにおいて、この基準値が得られたときの結像レンズ５４と結像レンズ５５との相対位置が、調整用調整用ＣＣＤセンサ１３の出力レベルが最大になる位置、つまりレンズユニット５０の焦点が合った最適位置となるのである。制御回路１７は、この最適位置をＰＣＳ値の最大値として記憶する。
【００４７】
続いて、使用者はモード切換スイッチ１９を調整モード側に切換える。そして、制御回路１７がこのモード切換スイッチが調整モードに設定されたと判断すると（Ｓ１１０：ＮＯ）、以下の調整モードが実行される（Ｓ１７０）。
この調整モードにおいては、使用者は上記結像レンズ５５が結像レンズ５４から最も離れた状態から、内筒５３を上記とは反対の方向に回し、結像レンズ５５を結像レンズ５４に近接させる方向に移動させる。この間、上記制御回路１７側では、上記学習モードと同様に調整用ＣＣＤセンサ１３からの出力データの取得が行われ（Ｓ１８０）、そのコントラスト比演算部では、所定の時間間隔で上記と同様にコントラスト比の演算処理が行われる（Ｓ１９０）。そして、制御回路１７は、このとき算出されるＰＣＳ値と、上記ＲＡＭに格納された基準値（ＰＣＳ値の最大値）とを比較する（Ｓ２００）。そして、このＰＣＳ値と基準値との相対比に応じて報知用ＬＥＤ１８の所定のＬＥＤを点灯させる。  つまり、このときのＰＣＳ値が、まず基準値の９５％以上であるか否かが判断され（Ｓ２１０）、９５％以上であると判断されると（Ｓ２１０：ＹＥＳ）、ＬＥＤａが点灯される（Ｓ２２０）。このとき、ＰＣＳ値が９５％以上でないと判断されると（Ｓ２１０：ＮＯ）、次にＰＣＳ値が基準値の９３％〜９５％の範囲にあるか否かが判断され（Ｓ２３０）、この範囲内にあると判断されると（Ｓ２３０：ＹＥＳ）、ＬＥＤｂが点灯される。更に、この範囲にもない（つまり基準値の９３％を下回る）と判断された場合には（Ｓ２３０：ＮＯ）、ＬＥＤｃが点灯される（Ｓ２５０）。
【００４８】
この場合、使用者が結像レンズ５５を結像レンズ５４に近接させる方向に移動させるにつれ、報知用ＬＥＤ１８は、ＬＥＤｃ、ＬＥＤｂ、ＬＥＤａ、ＬＥＤｂ、ＬＥＤｃの順に点灯することになる。従って、使用者は、ＬＥＤａが点灯した時点でレンズ調整が最適になったと判断し、この位置で内筒５３を固定するようにすればよい。なお、この場合、使用者が内筒５３を回しすぎ、報知用ＬＥＤ１８がＬＥＤａの点灯からＬＥＤｂの点灯に変わったとしても、使用者は内筒５３の回転を逆転させることにより再度ＬＥＤａが点灯する状態に設定することができるため、レンズ位置を容易に最適位置に調整することができる。
【００４９】
このように、本実施例では、レンズ調整においてそのレンズ位置の最適位置からのずれの程度に応じて異なる種類のＬＥＤを点灯させることにより、使用者に視覚的に現在の調整状態を報知する。このため、使用者側では、この報知用ＬＥＤ１８のＬＥＤａが点灯する方向に、レンズユニット５０の内筒５３を回転させることにより、レンズ調整を容易に行うことができる。また、上記のように、報知用ＬＥＤ１８をＬＥＤａ、ＬＥＤｂ及びＬＥＤｃの三種類で段階的に報知するように構成したため、例えばＬＥＤａからＬＥＤｂの点灯に変わったときには、使用者は内筒５３の回転方向を反転させる必要がある等、レンズ調整の方向を容易に知ることもできる。また、このように段階的に調整することにより、例えばＬＥＤｃからＬＥＤｂの点灯に変わったときは、ＬＥＤａの点灯に近づいていることが分かるため、使用者はその時点で意識的に操作をゆっくり行うことになり、レンズ調整が正確に行われるようになる等、付随的効果も得られる。
【００５０】
以上のように、本実施例のレンズ調整装置１によれば、最適な読取のための正確なレンズ調整を容易かつ迅速に行うことができる。
なお、本実施例においては、制御回路１７が信号レベル検出手段、記憶手段、及び相対比算出手段に該当し、モード切換スイッチ１９が動作モード切換手段に、報知用ＬＥＤ１８が報知手段にそれぞれ該当する。
【００５１】
そして、制御回路１７が実行する処理の内、図３のフローチャートに示したＳ１３０、Ｓ１４０、Ｓ１８０及びＳ１９０の処理が信号レベル検出手段としての処理に該当し、Ｓ２００の処理が相対比算出手段としての処理に該当する。
以上、本発明の実施例について説明したが、本発明の実施の形態は、上記実施例に何ら限定されることなく、本発明の技術的範囲に属する限り種々の形態をとり得ることはいうまでもない。
【００５２】
例えば、上記実施例では、本発明に係るレンズ調整装置を２次元コードスキャナのレンズユニットの調整に適用した例を示したが、本発明のレンズ調整装置は、２次元コードを読み取る光学情報読取装置に限られず、１次元コード（バーコード）や、文字等を読み取る光学情報読取装置のレンズユニットに適用してもよいことはもちろんである。
【００５３】
また、本発明に係るレンズ調整装置は、特に上記実施例に示した設置型や或いは機器組込型の光学情報読取装置のレンズユニットに対してその効果を顕著に発揮するが、手持ち型の光学情報読取装置のレンズユニットについても、出荷時にはある程度の規格を具備するように焦点調整を行う必要があるため、同様の装置を使用することができる。
【図面の簡単な説明】
【図１】本発明の実施例に係るレンズ調整装置の概略構成を示すブロック図である。
【図２】実施例に係るレンズユニットの概略構成を示す説明図である。
【図３】本発明の実施例に係るレンズ調整工程を説明するフローチャートである。
【図４】従来のレンズ調整装置の概略構成を示すブロック図である。
【符号の説明】
１・・・レンズ調整装置、  １１・・・レンズユニット設置部、
１３・・・調整用ＣＣＤセンサ、  １４・・・増幅回路、
１５・・・信号処理回路、  １６・・・同期信号発生回路、
１７・・・制御回路、  １９・・・モード切換スイッチ、  ２０・・・電源回路、
２１・・・パターンコードラベル、  ５０・・・レンズユニット、
５４，５５・・・結像レンズ
【図１】
0004239338.tif 000003
【図２】
0004239338.tif 000004
【図３】
0004239338.tif 000005
【図４】
0004239338.tif 000006